(57)【要約】【要約書】【課題】ステムが自らの弾性片部の復帰作用に基づいて噴射モードから静止モードへ移動するときの最終段階で、ステム弾性片部をその原状態へとさらに復元させることにより、静止モードにおけるステムラバーとステムとの間のシール性の十全化を図る。【解決手段】利用者が噴射操作をやめると、ステム１は、その下方部分に形成された長弾性片部１４とハウジング２の下方テーパ面２１との当接・復元作用に基づく図示上方向の力を受けて、静止モードへと自動復帰する。そして、この復帰動作の最終局面ではステム１の短弾性片部１５（山状突部１５ａ）が上方テーパ面２２に案内されながら原状態へ復元するので、ステム１は、当該テーパ面からの上方向の力も受けて静止モード位置へとさらに移動してステムラバー６に密接する。短弾性片部１５を設けずに、長弾性片部１４の上下方向の中間部分に山状突部１５ａを形成したステム構造も開示している。【選択図】図３
2006160300.tif 000002
【特許請求の範囲】
【請求項１】
エアゾール容器に用いられて噴射モードから静止モードへの自動復帰用の弾性片部を下方部分に備えたステムと、静止モードから噴射モードの位置まで移動していく当該弾性片部をその弾性力に抗する形で変位させながら案内する強制変位部を備えたハウジングと、を少なくとも有する内容物放出機構であって、
前記弾性片部および前記強制変位部の相互作用に基づく噴射モードから静止モードへの自動復帰の終り段階で、前記弾性片部がその弾性力に基づいてさらに復元して前記ステムを静止モード位置へ引き込むことにより、当該ステムおよびステムガスケットの間のシール作用を確実なものにするためのガイド部と、これに対応した被ガイド部とを設けた、
ことを特徴とする内容物放出機構。
【請求項２】
前記ガイド部は、前記ハウジングの内周面に形成されたテーパ部分であり、
前記被ガイド部は、前記弾性片部の、その弾性変位の基部からみて前記強制変位部との作用部分よりも近い部分である、
ことを特徴とする請求項１記載の内容物放出機構。
【請求項３】
前記被ガイド部は、前記強制変位部と作用する第１の前記弾性片部とは別の第２の前記弾性片部に形成されている、
ことを特徴とする請求項１または２記載の内容物放出機構。
【請求項４】
請求項１乃至３記載の内容物放出機構を備えて容器内部に放出用ガスおよび内容物を収容した、
ことを特徴とするエアゾール式製品。
【発明の詳細な説明】
【技術分野】
【０００１】
本発明は、エアゾール式製品を対象としたステムおよびハウジングからなる内容物放出機構などに関する。
【０００２】
特にエアゾール容器に用いられて噴射モードから静止モードへの自動復帰用の弾性片部を下方部分に備えたステムと、静止モードから噴射モードへと移行するときの当該弾性片部をその弾性力に抗する形で変位させながら案内する強制変位部を備えたハウジングと、を少なくとも有する内容物放出機構を対象にしている。
【０００３】
すなわち、ハウジング内のステムを静止モードの位置に付勢する弾性部材として金属製のスプリングを別途設けるのではなく、ステム自体の下方部分に弾性片部を形成し、この弾性片部とハウジング内部のテーパ面などとの相互作用により、ステムを（これが押下げられた）噴射モードから静止モードへ自動復帰させることを前提にする。
【０００４】
そして本発明は、静止モードにおけるステムと、その連通用孔部のステムガスケットとの間のシール性をより確実にしたいという要請に応えるものである。
【背景技術】
【０００５】
ステム自体の下方部分に複数の弾性片部（弾性突出爪部）を形成し、この弾性片部とハウジング内部のテーパ面などとの相互作用により、ステムを（これが押下げられた）噴射モードから静止モードへ自動復帰させるエアゾール噴射装置は、下記の文献などで開示されている。
【０００６】
このテーパ面はハウジング内の上流側部分に下方にいくほど一様に狭まっていく態様で形成されており、ステムは、その弾性突出爪部の先端部分が当該テーパ面に当接しながら全体として内側方向に弾性に抗する形で変位させられながら下動して噴射モードに移行する。
【０００７】
そして、利用者が噴射モードへの押圧操作を終えると、ステムの弾性突出爪部は自らの弾性力で元の状態に戻ろうとしてテーパ面から上向きの力を受け、ステムはこれにより静止モードへと復帰する。
【０００８】
この静止モードへの復帰後は、ステムの内容物通過用の孔部がステムガスケットによって閉状態となる。
【特許文献１】実用新案登録第２５１７７７５号公報
【発明の開示】
【発明が解決しようとする課題】
【０００９】
従来のエアゾール噴射装置の場合、静止モードのステムに対し上方向の力を付与して当該ステム（内容物通過用孔部）およびステムガスケット間のシール性を確保するための手段と、ステムをその噴射モードから静止モードへ自動復帰させるためのテーパ面とをいわば兼用している。
【００１０】
すなわちハウジング内部の一様な傾斜からなる（静止モードから噴射モードへの）ステム自動復帰用の連続テーパ面の上端側部分で、静止モードにおける上記シール作用を奏している。
【００１１】
そのため、静止モードにおいて利用者が不意に（ステムと一体の）操作ボタンを軽く押圧した場合などにステムがその噴射位置のほうへと移動しやすく、また、静止モードへの復帰最終段階でステムがハウジングのテーパ面から受ける上方向のステムガスケット保持用の力が、それまでの復帰途中で同様にテーパ面から受ける上方向付勢力よりも強くなるといったこともなく、結果としてステムラバーとステム（内容物通過用孔部）とのシール作用が不十分なものとなりやすいという問題点があった。
【００１２】
そこで、本発明は、静止モードへのステム移動の終り段階で当該ステムの弾性片部をその原状態へとさらに復元させて、当該ステムを静止モードの位置へと積極的に引き込むための手段をハウジングなどに設けることにより、静止モードにおけるステムラバーとステム（内容物通過用孔部）との間のシール性の十全化を図ることを目的とする。
【課題を解決するための手段】
【００１３】
本発明は、以上の課題を次のようにして解決する。
（１）エアゾール容器に用いられて噴射モードから静止モードへの自動復帰用の弾性片部（例えば後述の長弾性片部１４，３４や短弾性片部１５）を下方部分に備えたステム（例えば後述のステム１，３）と、静止モードから噴射モードの位置まで移動していく当該弾性片部をその弾性力に抗する形で変位させながら案内する強制変位部（例えば後述の下方テーパ面２１，４１）を備えたハウジング（例えば後述のハウジング２，４）と、を少なくとも有する内容物放出機構に、
前記弾性片部および前記強制変位部の相互作用に基づく噴射モードから静止モードへの自動復帰の終り段階で、前記弾性片部（例えば後述の短弾性片部１５や長弾性片部３４）がその弾性力に基づいてさらに復元して前記ステムを静止モード位置へ引き込むことにより、当該ステムおよびステムガスケット（例えば後述のステムガスケット６）の間のシール作用を確実なものにするためのガイド部（例えば後述の上方テーパ面２２，４２）と、これに対応した被ガイド部（例えば後述の山状突部１５ａ，３４ｂ）とを設ける。
（２）上記（１）において、
前記ガイド部を、前記ハウジングの内周面に形成されたテーパ部分（例えば後述の上方テーパ面２２，４２）とし、
前記被ガイド部を、前記弾性片部（例えば後述の短弾性片部１５や長弾性片部３４）の、その弾性変位の基部からみて前記強制変位部（例えば後述の下方テーパ面２１，４１）との作用部分（例えば後述の下端外側部分１４ａ，３４ａ）よりも近い部分（例えば後述の山状突部１５ａ，３４ｂ）とする。
（３）上記（１），（２）において、
前記被ガイド部（例えば後述の山状突部１５ａ）を、前記強制変位部（例えば後述の下方テーパ面２１）と作用する第１の弾性片部（例えば後述の長弾性片部１４）とは別の第２の弾性片部（例えば後述の短弾性片部１５）に形成する。
【００１４】
本発明は、このような構成からなる内容物放出機構を対象とし、また、この内容物放出機構を備えて容器内部に放出用ガスおよび内容物を収容したエアゾール式製品も対象としている。
【発明の効果】
【００１５】
本発明は、このように、ステムがその下方部分の弾性片部の復元力により噴射モードから静止モードへ自動的に復帰するときの終り段階で、弾性片部がその原状態へとさらに復元して当該ステムを静止モードの位置へと積極的に引き込むようにしているので、静止モードにおけるステムラバーとステム（内容物通過用孔部）との間のシール性の十全化を図ることができる。
【００１６】
また、ステムを静止モードの位置へと積極的に引き込むための被ガイド部（弾性片部の一部）の弾性変位におけるいわば腕の長さを、当該引込みの前段階である噴射モードから静止への自動復帰用の作用部分（弾性片部の一部）のそれよりも短くしているので、静止モードにおけるシール作用力をより強いものにすることができる。
【００１７】
また、静止モード位置への引込み用の被ガイド部を形成した弾性片部と、噴射モードから静止への自動復帰用の作用部分を形成した弾性片部とを別部材にしているので、この被ガイド部や作用部分のいわばガイド部となるハウジング内周面の形状（テーパ部分とこれに続く部分など）をそれぞれの動作に合致させることが容易である。
【発明を実施するための最良の形態】
【００１８】
図１乃至図７を用いて本発明を実施するための最良の形態を説明する。
図１は第１のステムを用いた場合の静止モードを示し、
図２は図１のステム（第１のステムの斜視図）を示し、
図３は第１のステムを用いた場合の噴射モードを示し、
図４は第２のステムを用いた場合の静止モードを示し、
図５は図４のステム（第２のステムの斜視図）を示し、
図６は第２のステムを用いた場合の静止モードから噴射モードへの移行途中を示し、
図７は第２のステムを用いた場合の噴射モードを示している。
【００１９】
これらの図において、
１は押釦（図示省略）の押圧操作により下動して図１の静止モードから図３の噴射モードへと移行し、当該押圧操作の解除にともない後述の長弾性片部１４の弾性力などにより上方向に自動復帰してもとの静止モードへと移行するステム（図１〜図３）,
１１は押釦側の噴射口（図示省略）へと通じる内容物通路,
１２は内容物通路１１へと通じる内容物通過用の孔部,
１３は孔部１２の入口側へと続く部分で、静止モードにおいて後述のステムガスケット６の内側底面と密接するシール作用面,
１４はステム１の下方部分に形成された自動復帰動作用の一対の長弾性片部,１４ａは下端外側部分，
１５はステム１の下方部分に形成されたシール動作用の一対の短弾性片部,１５ａは外周面下端側に形成された山状突部,
２はその内部空間にステム１を上下動可能な形で保持して後述のマウンティングカップに取り付けられるハウジング（図１〜図３）,
２１はハウジング内部の（長弾性片部１４の外側下端部分に対応した）上広がり態様の下方テーパ面,
２２はハウジング内部の（短弾性片部１５の山状突部１５ａに対応した）上広がり態様の上方テーパ面,
２３はこれらテーパ面間の垂下面，
２４は後述のステムガスケット６を後述のマウンティングカップ５との間に挟み込むための環状凸部,
３は押釦（図示省略）の押圧操作により下動して図４の静止モードから図７の噴射モードへと移行し、当該押圧操作の解除にともない後述の長弾性片部３４の弾性力などにより上方向に自動復帰してもとの静止モードへと移行するステム（図４〜図７）,
３１は押釦側の噴射口（図示省略）へと通じる内容物通路,
３２は内容物通路３１へと通じる内容物通過用の孔部,
３３は孔部３２の入口側へと続く部分で、静止モードにおいて後述のステムガスケット６の内側底面と密接するシール作用面,
３４はステム１の下方部分に形成された自動復帰動作・シール動作用の一対の長弾性片部,３４ａは下端外側部分，３４ｂは外周面の略中央の横方向部分に形成されたシール動作用の山状突部,
４はその内部空間にステム３を上下動可能な形で保持して後述のマウンティングカップ５に取り付けられるハウジング（図４〜図７）,
４１はハウジング内部の（長弾性片部３４の外側下端部分に対応した）上広がり態様の下方テーパ面,
４２はハウジング内部の（長弾性片部３４の山状突部３４ａに対応した）上広がり態様の上方テーパ面,
４３は下方テーパ面４１の上端から続く環状の段部，
４４は上方テーパ面４２と段部４３との間の垂下面，
４５は後述のステムガスケット６を後述のマウンティングカップ５との間に挟み込むための環状凸部,
５は容器本体（図示省略）に取り付けられてハウジング２,４をクリンチ処理部分で保持する周知のマウンティングカップ,
６はその外側部分をハウジング２,４とマウンティングカップ５とに挟持され、静止モードではその内側部分がステム１，３の孔部１２，３２を閉塞するとともにシール作用面１３，３３に密接し（図１，図４参照）、噴射モードではこの閉塞・密接状態を解除する（図３，図７参照）周知のステムガスケット，
７はハウジング２,４の上流側開口部に取り付けられた周知の内容物通過用のパイプ，
をそれぞれ示している。
【００２０】
図示の内容物放出機構の特徴は、
(a) ステム１，３の下方部分に、長弾性片部１４，短弾性片部１５や長弾性片部３４を形成し、
(b) ハウジング２,４の内面部分に、ステム１，３を噴射モードから静止モードへ自動復帰させるための下方テーパ面２１，４１および、静止モードにおける当該ステムとステムガスケット６とのシール作用を確実にための上方テーパ面２２，４２を形成し、
(c) 当該ハウジングの下方テーパ面２１，４１で当該ステムの下端外側部分１４ａ，３４ａを規制・案内し、また、当該ハウジングの上方テーパ面２２，４２で当該ステムの山状突部１５ａ，３４ｂを規制・案内するようにした、
ことである。
【００２１】
図１の静止モードの場合、ステム１はその短弾性片部１５の山状突部１５ａがハウジング２の上方テーパ面２２に当接し、またその長弾性片部１４の下端外側部分１４ａがハウジング２の下方テーパ面２１に当接している。
【００２２】
このとき、少なくとも短弾性片部１５の山状突部１５ａが自らの弾性力に抗する形で上方テーパ面２２に当接しているので、ステム１（短弾性片部１５）は当該テーパ面からの反作用として上方向の力（分力）を受ける。
【００２３】
この上方向の力により、ステム１のシール作用面１３とステムガスケット６の内側底面との間の密接状態は十分なものとなる。
【００２４】
そして、利用者が作動モードに設定するため押釦（図示省略）を押圧するとステム１がハウジング２に対して下動する。
【００２５】
このステム１の下動にともない、
(1) 短弾性片部１５は、その山状突部１５ａの当接対象部分がハウジング２のそれまでの上方テーパ面２２からこれに続く垂下面２３へと変化し（＝当該片部の弾性力に抗する形で内側に変位し）、
(2) 長弾性片部１４は、その下端外側部分１４ａがハウジング２の下方テーパ面２１に案内されながら、自らの弾性力に抗する形で内側に変位していき、
(3) ステムガスケット６は、その内側部分がステム１で押し下げられて孔部１２に対する開放状態へと移行する。すなわち、ステム１の状態が図１の静止モードから図３の噴射モードへと変化する。
【００２６】
このように図３の噴射モードでは、長弾性片部１４，短弾性片部１５およびステムガスケット６のいずれもが静止モードの状態から変位（変形）している。
【００２７】
そして、内容物通路１１および孔部１２などを介して容器本体（図示省略）の内部と外部空間とが連通する。
【００２８】
このとき容器内容物は「パイプ７−ハウジング２の内部空間−長弾性片部１４と短弾性片部１５との間の空隙域−孔部１２−内容物通路１１」を経て操作部の噴口（図示省略）から外部空間に噴射される。
【００２９】
利用者が押圧操作を止めると、図３で示すようにそれまで自らの弾性力に抗する形で内側に変位していた長弾性片部１４（下端外側部分１４ａ）が、ハウジング２の下方テーパ面２１に案内されながら上方向の力を受け、これによりステム１は上動していく。
【００３０】
これにともないステムガスケット６の変位（変形）の程度も元の静止モードの状態へと戻っていき、図１の静止モードへと略移行した段階では、それまで垂下面２３によって静止モードの状態への復帰を阻止されていた短弾性片部１５の山状突部１５ａがハウジング２の上方テーパ面２２に当接する位置となる。
【００３１】
この位置になると、短弾性片部１５の山状突部１５ａが上方テーパ面２２に案内されて当該片部はその弾性復帰力により当該テーパ面を押し付ける。
【００３２】
そして、短弾性片部１５の山状突部１５ａはこの押し付けによる反作用を上方テーパ面２２から受けることになる。
【００３３】
この上方向の分力によりステム１はそのシール作用面１３がステムガスケット６の内側底面部分に強く密接し、当該部分や孔部１２とのシール作用は十全なものとなる。
【００３４】
図４〜図７の内容物放出機構における図１〜図３のそれとの基本的な違いは、シール動作用（噴射モード）の山状突部３４ｂをステム３の長弾性片部３４の外周面略中央の横方向部分に形成したことである（図５参照）。
【００３５】
すなわち、図４〜図７の場合、図１〜図３の内容物放出機構のように噴射モードから静止モードへの自動復帰用の長弾性片部１４とは別に噴射モードのシール動作用の短弾性片部１５を設ける、態様にはなっていない。
【００３６】
図４の静止モードにおけるステム３は、
(11) 長弾性片部３４の弾性復帰力に基づいて上動した位置にあり、
(12) 当該長弾性片部の山状突部３４ｂがハウジング４の上方テーパ面４２に当接し、
(13) 当該長弾性片部の下端外側部分３４ａがハウジング４の段部４３に対向した、
状態で安定している。
【００３７】
このとき、図１の静止モードと同様に、山状突部３４ｂに対する上方テーパ面４２の押上げ力によりステム３（孔部３２，シール作用面３３）とステムガスケット６との間の十全なシール作用が確保されていることは勿論である。
【００３８】
図６の、利用者の押圧操作に基づいて静止モードから噴射モードへの移行途中のステム３は、
(21) 長弾性片部３４の山状突部３４ｂがハウジング４の上方テーパ面４２からその下方の垂下面４４にいわば乗り上げて、当該長弾性片部の全体が内側に変位（変形）し、
(22) 長弾性片部３４の下端外側部分３４ａがハウジング４の下方テーパ面４１まで移動してそこに当接した、
状態になる。
【００３９】
このとき、ステム３の孔部３２はまだステムガスケット６によって閉塞されたままである。
【００４０】
図７の噴射モードまで移動したステム３は、
(31) 長弾性片部３４の下端外側部分３４ａがハウジング４の下方テーパ面４１に案内される形で、当該長弾性片部の全体がさらに内側に変位（変形）し、
(32) 長弾性片部３４の山状突部３４ｂがハウジング４の垂下面４４から離間した、
状態に設定される。
【００４１】
このとき、図３の噴射モードと同様に、ステム３の孔部３２およびシール作用面３３に対するステムガスケット６のシール動作は解除されており、容器内容物は「パイプ７−ハウジング４の内部空間−長弾性片部３４同士間の空隙域−孔部３２−内容物通路３１」を経て操作部の噴口（図示省略）から外部空間に噴射される。
【００４２】
利用者が押圧操作を止めると、図７で示すようにそれまで自らの弾性力に抗する形で内側に変位していた長弾性片部３４（下端外側部分３４ａ）が、ハウジング４の下方テーパ面４１に案内されながら上方向の力を受け、これによりステム３は上動していく。
【００４３】
これにともない長弾性片部３４およびステムガスケット６の変位（変形）の程度が元の静止モードの状態へと戻っていき、図６の状態まで移行した段階では、ステム３の孔部３２は当該ステムガスケットで閉塞され、長弾性片部３４の山状突部３４ｂがハウジング４の垂下面４４の上端部分に当接する。
【００４４】
さらにステム３が（ハウジング４の下方テーパ面４１からの上方向の力により）上動すると、長弾性片部３４の山状突部３４ｂがハウジング４の上方テーパ面４２に案内されて当該片部はその弾性復帰力により当該テーパ面を押し付ける。
【００４５】
そして、山状突部３４ｂはこの押し付けによる反作用を上方テーパ面４２から受けることになる。
【００４６】
この上方向の分力によりステム３はそのシール作用面３３がステムガスケット６の内側底面部分に強く密接し、当該部分や孔部１２とのシール作用は十全なものとなる。
【００４７】
以上の内容物放出機構において、ハウジング２，４の上方テーパ面２２，４２に案内される山状突部１５ａ，３４ｂは、下方テーパ面２１，４１に案内される静止モードへの自動復帰用の下端外側部分１４ａ，３４ａよりも、各弾性片部（長弾性片部１４，３４および短弾性片部１５）のいわば基部（固定側端部）に近い部分に形成されているので、当該山状突部が当該上方テーパ面を押し付ける力は当該下端外側部分が当該下方テーパ面を押し付ける力に比べて大きくなる。
【００４８】
すなわち、ステム１，３とステムガスケット６との間のシール作用力は、ハウジング２，４の上方テーパ面２２，４２やステム１，３の山状突部１５ａ，３４ｂを形成しない場合（＝下方テーパ面２１，４１と長弾性片部１４，３４との間の変位・復帰作用のみを用いる場合）よりも強くなる。
【００４９】
また、下方テーパ面２１，４１の図面横方向に対する傾斜を上方テーパ面２２，４２のそれよりも大きくし、当該下方テーパ面でステム１，３のいわば復帰ストロークをかせぎ、当該上方テーパ面でステムガスケット６に対するシール動作の安定化を図っている。
【００５０】
すなわち、ハウジング２，４の上方テーパ面２２，４２をステム１，３の山状突部１５ａ，３４ｂにとってのいわば急坂形状にし、静止モードの当該ステムが例えば不意に下方向への力を少し受けた場合などにもその先の垂下面２３，４４に移動しにくく、また、これとは逆に噴射モードから静止モードへの復帰動作の最終段階でステム１，３がこの上方テーパ面に確実に入り込み、そこで安定的に保持されるようにしている。
【００５１】
本発明の特徴は、ステム１，３およびハウジング２，４における噴射モードから静止モードへの自動復帰動作用部分（図示の場合は下端外側部分１４ａ，３４ａおよび下方テーパ面２１，４１）と、静止モードでのシール動作用部分（図示の場合は山状突部１５ａ，３４ｂおよび上方テーパ面２２，４２）とを、この自動復帰動作の最終段階でシール動作に移行するように、区分けしたことである。
【００５２】
なお、上述のステム１，３およびハウジング２，４はポリプロピレン，ポリエチレン，ポリアセタール，ナイロン，ポリブチレンテレフタレートなどのプラスチック製のものである。
【００５３】
なお、以上の内容に各種変更をほどこした場合についても本発明の対象となることは勿論である。
例えば、
(41) ステム１の短弾性片部１５の山状突部１５ａを省略して、長弾性片部１４と同様に当該短弾性片部の下端外側部分をハウジング２の上方テーパ面２２に作用させる、
(42) ステム１，３の山状突部１５ａ，３４ｂとハウジング２，４の上方テーパ面２２，４２とを入れ替える（例えばステム１の山状突部１５ａおよびその上方部分を上方テーパ面２２とその上方部分と同様にして、かつハウジング２の上方テーパ面２２の部分に山状突部を形成するなど）、
(43) ステム１，３の長弾性片部１４，３４の外周面下端部分にハウジング２，４の下方テーパ面２１，４１と同様のテーパ面を形成し、当該下方テーパ面の上側部分に山状突部を形成する、
(44) ステム１，３の山状突部１５ａ，３４ｂおよびハウジング２，４の上方テーパ面２２，４２を省略して、当該ハウジングの下方テーパ面２１，４１の上端部分の上記傾斜を緩くする（上方テーパ面２２，４２と同様にする）、
(45) ステム１，３の各弾性片部の案内部として、ハウジング内周面（テーパ面）の代わりにハウジング底面の山状部（例えば実用新案登録第２５０７４８４号公報の図１で示されるテーパ面）を用いる、
などのように変更してもよい。
【００５４】
容器内容物の対象としては、液状，発泡性（泡状），ペースト状，ジェル状，粉状などの各種性状のものがある。
【００５５】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５６】
容器本体に収納する内容物は、例えば、粉状物，油成分，アルコール類，界面活性剤，高分子化合物，各用途に応じた有効成分などである。
【００５７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５９】
アルコール類としては、エタノールなどの１価の低級アルコール，ラウリルアルコールなどの１価の高級アルコール，エチレングリコールなどの多価アルコールなどを用いる。
【００６０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６１】
高分子化合物としては、メチルセルロース，ゼラチン，デンプン，カゼインなどを用いる。
【００６２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６３】
さらに、上記内容物以外の、懸濁剤，紫外線吸収剤，乳化剤，保湿剤，酸化防止剤、金属イオン封鎖剤なども用いることができる。
【００６４】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００６５】
【図１】本発明の、第１のステムを用いた場合の静止モードを示す説明図である。
【図２】本発明の、図１のステム（第１のステムの斜視図）を示す説明図である。
【図３】本発明の、第１のステムを用いた場合の噴射モードを示す説明図である。
【図４】本発明の、第２のステムを用いた場合の静止モードを示す説明図である。
【図５】本発明の、図４のステム（第２のステムの斜視図）を示す説明図である。
【図６】本発明の、第２のステムを用いた場合の静止モードから噴射モードへの移行途中を示す説明図である。
【図７】本発明の、第２のステムを用いた場合の噴射モードを示す説明図である。
【符号の説明】
【００６６】
１：ステム（図１〜図３）
１１：内容物通路
１２：内容物通過用の孔部
１３：シール作用面
１４：自動復帰動作用の一対の長弾性片部
１４ａ：下端外側部分
１５：シール動作用の一対の短弾性片部
１５ａ：シール動作用の山状突部
２：ハウジング（図１〜図３）
２１：下方テーパ面
２２：上方テーパ面
２３：垂下面
２４：環状凸部
３：ステム（図４〜図７）
３１：内容物通路
３２：内容物通過用の孔部
３３：シール作用面
３４：自動復帰動作・シール動作用の一対の長弾性片部
３４ａ：下端外側部分
３４ｂ：シール動作用の山状突部
４：ハウジング（図４〜図７）
４１：下方テーパ面
４２：上方テーパ面
４３：環状の段部
４４：垂下面
４５：環状凸部
５：マウンティングカップ
６：ステムガスケット
７：内容物通過用のパイプ
【図１】
2006160300.tif 000003
【図２】
2006160300.tif 000004
【図３】
2006160300.tif 000005
【図４】
2006160300.tif 000006
【図５】
2006160300.tif 000007
【図６】
2006160300.tif 000008
【図７】
2006160300.tif 000009